(57)【要約】【課題】現在表示している再生画像の状況をユーザーに適切に通知できるようにする。【解決手段】画像を再生する再生手段と、前記再生手段で再生する画像が反転して記録されたか否かの情報を取得する取得手段と、前記再生手段で再生した画像を反転して表示する反転処理手段と、前記反転処理手段において反転処理をするか否かを切り替える切替手段と、画像を反転して表示しているかを示す表示アイテムを、前記取得手段で取得した前記情報と、前記切替手段で反転処理をするように切り替えられているか否かとの組み合わせに応じて異なる表示形態で、前記再生手段で再生した画像とともに表示部に表示するように制御する制御手段とを設け、使用者が現在見ている再生画像がどういう状況であるか把握しやすくする。【選択図】図９
2015029208.tif 000002
【特許請求の範囲】
【請求項１】
画像を再生する再生手段と、
前記再生手段で再生する画像が反転して記録されたか否かの情報を取得する取得手段と、
前記再生手段で再生した画像を反転して表示する反転処理手段と、
前記反転処理手段において反転処理をするか否かを切り替える切替手段と、
画像を反転して表示しているかを示す表示アイテムを、前記取得手段で取得した前記情報と、前記切替手段で反転処理をするように切り替えられているか否かとの組み合わせに応じて異なる表示形態で、前記再生手段で再生した画像とともに表示部に表示するように制御する制御手段と
を有することを特徴とする表示制御装置。
【請求項２】
前記反転は左右反転であることを特徴とする請求項１に記載の表示制御装置。
【請求項３】
前記反転は上下反転であることを特徴とする請求項１に記載の表示制御装置。
【請求項４】
前記表示アイテムはタッチアイコンであり、タッチされたことに応じて前記切替手段の切り替えを行うことを特徴とする請求項１〜３の何れか１項に記載の表示制御装置。
【請求項５】
前記表示アイテムは、再生中の動画が反転記録モードで記録された動画であるか、及び、反転再生しているかどうかに応じた状態を表すとともに、反転再生のオン／オフの切り替え操作を受け付けるタッチアイコンであり、左右非対称で、かつ正像と反転像の区別がつくモチーフを矢印とともに用い、
再生中の画像が通常記録画像で反転再生がオフである場合には、第１の表示形態で表示し、
再生中の画像が反転記録画像で反転再生がオフである場合には、第２の表示形態で表示し、
再生中の画像が通常記録画像で反転再生がオンである場合には、第３の表示形態で表示し、
再生中の画像が反転記録画像で反転再生がオンである場合には、第４の表示形態で表示し、
前記第１の表示形態〜第４の表示形態において、アイコンの下地の色が一方の色または斜線の場合は反転再生がオンとなっている時の再生の状態を示し、アイコンの下地の色が他方の色の場合は反転再生がオフとなっている時の再生の状態を示していることを特徴とする請求項１〜４の何れか１項に記載の表示制御装置。
【請求項６】
前記表示アイテムは、再生中の動画が反転記録モードで記録された動画であるか、及び、反転再生しているかどうかに応じた状態を表すとともに、反転再生のオン／オフの切り替え操作を受け付けるタッチアイコンであり、左右非対称で、かつ正像と反転像の区別がつくモチーフを、矢印の元のモチーフ及び矢印の先のモチーフとして用い、
再生中の画像が通常記録画像で反転再生がオフである場合には、第１の表示形態で表示し、
再生中の画像が反転記録画像で反転再生がオフである場合には、第２の表示形態で表示し、
再生中の画像が通常記録画像で反転再生がオンである場合には、第３の表示形態で表示し、
再生中の画像が反転記録画像で反転再生がオンである場合には、第４の表示形態で表示し、
前記第１の表示形態〜第４の表示形態において、現在の状態を矢印の元のモチーフ及び矢印の先のモチーフの下地の色を一方の色または斜線で表示して示すことを特徴とする請求項１〜４の何れか１項に記載の表示制御装置。
【請求項７】
前記表示アイテムは、再生中の動画が反転記録モードで記録された動画であるか、及び、反転再生しているかどうかに応じた状態を表すとともに、反転再生のオン／オフの切り替え操作を受け付けるタッチアイコンであり、左右非対称で、かつ正像と反転像の区別がつくモチーフを、矢印の元のモチーフ及び矢印の先のモチーフとして用い、
再生中の画像が通常記録画像で反転再生がオフである場合には、第１の表示形態で表示し、
再生中の画像が反転記録画像で反転再生がオフである場合には、第２の表示形態で表示し、
再生中の画像が通常記録画像で反転再生がオンである場合には、第３の表示形態で表示し、
再生中の画像が反転記録画像で反転再生がオンである場合には、第４の表示形態で表示し、
前記第１の表示形態〜第４の表示形態において、アイコンの下地の色が一方の色または斜線の場合は反転再生がオンとなっている時の再生の状態を示し、アイコンの下地の色が他方の色の場合は反転再生がオフとなっている時の再生の状態を示すとともに、現在の状態を矢印の元のモチーフ及び矢印の先のモチーフの下地の色を一方の色または斜線で示すことを特徴とする請求項１〜４の何れか１項に記載の表示制御装置。
【請求項８】
前記表示アイテムは、再生中の動画が反転記録モードで記録された動画であるか、及び、反転再生しているかどうかに応じた状態を表すとともに、反転再生のオン／オフの切り替え操作を受け付けるタッチアイコンであり、左右非対称で、かつ正像と反転像の区別がつくモチーフを、矢印の元のモチーフ及び矢印の先のモチーフとして用い、
再生中の画像が通常記録画像で反転再生がオフである場合には、第１の表示形態で表示し、
再生中の画像が反転記録画像で反転再生がオフである場合には、第２の表示形態で表示し、
再生中の画像が通常記録画像で反転再生がオンである場合には、第３の表示形態で表示し、
再生中の画像が反転記録画像で反転再生がオンである場合には、第４の表示形態で表示し、
前記第１の表示形態〜第４の表示形態において、アイコンの下地の色が一方の色または斜線の場合は反転再生がオンとなっている時の再生の状態を示し、アイコンの下地の色が他方の色の場合は反転再生がオフとなっている時の再生の状態を示すとともに、現在の状態を大きいモチーフで示すことを特徴とする請求項１〜４の何れか１項に記載の表示制御装置。
【請求項９】
前記表示アイテムは、再生中の動画が反転記録モードで記録された動画であるか、及び、反転再生しているかどうかに応じた状態を表すとともに、反転再生のオン／オフの切り替え操作を受け付けるタッチアイコンであり、左右非対称で、かつ正像と反転像の区別がつくモチーフとして用い、
再生中の画像が通常記録画像で反転再生がオフである場合には、第１の表示形態で表示し、
再生中の画像が反転記録画像で反転再生がオフである場合には、第２の表示形態で表示し、
再生中の画像が通常記録画像で反転再生がオンである場合には、第３の表示形態で表示し、
再生中の画像が反転記録画像で反転再生がオンである場合には、第４の表示形態で表示し、
前記第１の表示形態〜第４の表示形態において、アイコンの下地の色が一方の色または斜線の場合は反転再生がオンとなっている時の再生の状態を示し、他方の色のときは反転オフで再生されていることを示すことを特徴とする請求項１〜４の何れか１項に記載の表示制御装置。
【請求項１０】
画像を再生する再生工程と、
前記再生工程で再生する画像が反転して記録されたか否かの情報を取得する取得工程と、
前記再生工程で再生した画像を反転して表示する反転処理工程と、
前記反転処理工程において反転処理をするか否かを切り替える切替工程と、
画像を反転して表示しているかを示す表示アイテムを、前記取得工程で取得した前記情報と、前記切替工程で反転処理をするように切り替えられているか否かとの組み合わせに応じて異なる表示形態で、前記再生工程で再生した画像とともに表示部に表示するように制御する制御工程と
を有することを特徴とする表示制御装置の制御方法。
【請求項１１】
コンピュータを、請求項１乃至９のいずれか１項に記載された表示制御装置の各手段として機能させるためのプログラム。
【請求項１２】
コンピュータを、請求項１乃至９のいずれか１項に記載された表示制御装置の各手段として機能させるためのプログラムを格納したコンピュータが読み取り可能な記憶媒体。
【発明の詳細な説明】
【技術分野】
【０００１】
本発明は、画像を左右反転して表示することが可能な表示装置に関するものである。
【背景技術】
【０００２】
例えば、ダンスシーンの動画を見ながら真似しようとすると、左右逆転しているため、本来の正しい動きを真似るのが困難であった。そのため、再生時に再生機器の設定により左右を反転して再生するモードにして再生して、鏡を見ているようにすることで、ダンスの練習などに好都合である。
【０００３】
また、撮影時に左右を反転して記録する機器もある。場合によってはこれらが組み合わされ、記録時に左右反転して記録した動画を、再生時にもう一度反転して正像で見ることも可能になる。
【０００４】
これらにより、状態が以下の４つになる。
(１)通常記録＋通常再生→正像
(２)通常記録＋左右反転再生→反転像
(３)左右反転記録＋通常再生→反転像
(４)左右反転記録＋左右反転再生→正像
【０００５】
また、撮影している映像や再生している映像を左右反転してビデオカメラの液晶パネルに表示する際には、文字やアイコンを使った情報表示や、操作用の表示などを左右反転することなく表示することを実現している（たとえば、特許文献１、２）。
【先行技術文献】
【特許文献】
【０００６】
【特許文献１】特開２００９−１７５７４８号公報
【特許文献２】特開２００５−１１０１３８号公報
【発明の概要】
【発明が解決しようとする課題】
【０００７】
しかしながら、前述した従来例では、記録時の左右反転、再生時の左右反転の有無が切り替え可能であったため、以下のような問題点があった。
すなわち、前述したように再生画像には４つの状態があり、使用者が現在見ている再生画像がどういう状態であるのか把握しづらい。また、再生時に左右反転させるとどのような状態となるのか把握しづらく、ユーザーにとって、再生時の左右反転の機能をオンとすべきかどうかの判断がしづらい。
本発明は前述の問題点に鑑み、記録／再生の左右反転状態をユーザーが容易に把握しつつ、切り替えを容易にできるようにすることを目的とする。
【課題を解決するための手段】
【０００８】
本発明の表示制御装置は、画像を再生する再生手段と、前記再生手段で再生する画像が反転して記録されたか否かの情報を取得する取得手段と、前記再生手段で再生した画像を反転して表示する反転処理手段と、前記反転処理手段において反転処理をするか否かを切り替える切替手段と、画像を反転して表示しているかを示す表示アイテムを、前記取得手段で取得した前記情報と、前記切替手段で反転処理をするように切り替えられているか否かとの組み合わせに応じて異なる表示形態で、前記再生手段で再生した画像とともに表示部に表示するように制御する制御手段とを有することを特徴とする。
【発明の効果】
【０００９】
本発明によれば、表示している画像が、反転して記録された画像を表示しているか、及び記録された画像に対して反転処理を施して再生表示しているのかに応じて、現在表示している再生画像の状況をユーザーが把握しやすいように通知することができる。
【図面の簡単な説明】
【００１０】
【図１】デジタルカメラ１００の外観図である。
【図２】デジタルカメラ１００の構成ブロック図である。
【図３】デジタルカメラ１００とテレビ３０１における再生表示例を示す図である。
【図４】デジタルカメラ１００とテレビ３０１における反転記録モードをオフとした場合の表示例を示す図である。
【図５】デジタルカメラ１００とテレビ３０１における反転記録モードをオンとした場合の表示例を示す図である。
【図６】撮影モード処理のフローチャートである。
【図７】反転記録モードをオン／オフして撮影記録した動画の表示例を示す図である。
【図８】複数のシーン（カット）のサムネイル画像がタイル状に並んだインデックス画面の表示例を示す図である。
【図９】動画再生中の画面の一例を示す図である。
【図１０】反転アイコンの表示状態を説明する図である。
【図１１】再生処理のフローチャートである。
【発明を実施するための形態】
【００１１】
以下、図面を参照して本発明を好適かつ例示的な実施形態に基づいて詳細に説明する。
図１（ａ）〜図１（ｃ）に、本発明の表示制御装置の一実施形態としてのデジタルカメラ１００の外観図を示す。
【００１２】
デジタルカメラ１００は、本体部１１０に、被写体に面する撮像部１２（図示の部分は撮像部に含まれる撮影レンズ部）を有する。また、モニタ部１２０は表示部１４を有する。モニタ部１２０はヒンジ部を介して本体部１１０に連結されており、軸１０１と軸１０２を中心として回転し、本体部１１０に対する位置を、図１（ａ）〜図１（ｃ）のように変更することができる。原点１３０は表示部１４の原点座標を示しており、Ｘ座標＝０、Ｙ座標＝０の点である。原点１３０が、表示部１４の左上として定義されているものとする。
【００１３】
図１（ａ）は、表示部１４の表示面が露出するようにモニタ部１２０が本体部に対して閉じられている位置関係を示す。この位置を閉位置と称するものとする。
図１（ｂ）は、図１（ａ）の閉位置の状態から、軸１０１を中心としてモニタ部１２０を約９０度回転させ、本体部１１０からモニタ部１２０を起こした（開いた）状態である。この位置を開位置と称するものとする。開位置では、図示のように、表示部１４の表示面と撮像部１２の撮像面とが逆方向を向く。すなわち、表示部１４は背面モニタとして利用される。
【００１４】
図１（ｃ）は、図１（ｂ）の開位置の状態から、表示部１４の横方向と平行な軸１０２を中心としてモニタ部１２０を約１８０度回転させた状態である。この位置を対面位置と称するものとする。対面位置では、図示のように、表示部１４の表示面と撮像部１２の撮像面が同じ方向を向く。
【００１５】
すなわち、被写体側から表示部１４の表示面を視認可能であり、対面モニタとして利用される。対面位置では、図示のように表示部１４の左上原点１３０はユーザーから見て右下に位置することになり、見た目上の位置関係が開位置とは上下左右反転している。従って、開位置と対面位置とで同じ映像をユーザーに見せるには、開位置で表示していた画像を上下左右反転処理、あるいは１８０度回転処理して表示する必要がある。なお、上下左右反転処理と１８０度回転処理は、どちらを行っても同じ結果の画像が表示されるため、以下、単に上下左右反転処理と記載しているものは、１８０度回転処理で代用しても良いものとする。
【００１６】
図２に、デジタルカメラ１００の構成ブロック図を示す。制御部１０（ＣＰＵ）に対して以下の各構成部分が接続される。画像圧縮／伸長部１１、撮像部１２、画像処理部１３、表示部１４、操作部１５、ＲＯＭ１６、ＲＡＭ１７、着脱可能記録媒体インターフェース（Ｉ／Ｆ）（１８）、外部インターフェース（Ｉ／Ｆ）（２０）モニタ位置検知部２１。制御部と各構成部は互いにデータのやり取りを行うことができるようにされている。
【００１７】
制御部１０は、デジタルカメラ１００のシステム全般を制御するシステム制御部である。制御部１０はＲＯＭ１６に記録されたプログラムをＲＡＭ１７に展開して実行することで、各構成部を制御し、後述のフローチャートを実行する。ＲＯＭ１６は、不揮発性の記録媒体であり、制御部１０が実行するプログラムを記憶している。ＲＡＭ１７は制御部１０のワークメモリとして用いられる揮発性の記録媒体である。また、ＲＡＭ１７は撮像部１２で撮像し画像処理部１３により画像処理された画像データや着脱可能記録媒体１９から読み出した画像データを、画像圧縮／伸長部１１で画像データを圧縮処理または伸長処理を施すために用いられる。また、ＲＡＭ１７は、表示部１４で表示するために一時格納するＶＲＡＭとしても用いられる。さらには、撮像した画像と共に関連付けて記録する属性情報を一時格納するＲＡＭとしても用いられる。
【００１８】
デジタルカメラ１００には、画像データを記録するための記録媒体を装着できる。そのために、着脱可能記録媒体Ｉ／Ｆ（１８）のインタフェースを有する。着脱可能記録媒体Ｉ／Ｆ（１８）はメモリーカード等の着脱可能な記録媒体を挿入可能なスロットになっている。図１においては、着脱可能記録媒体Ｉ／Ｆ（１８）に着脱可能記録媒体（１９）が装着されている例を図示している。デジタルカメラ１００では、着脱可能な記録媒体に画像データを記録する構成で説明したが着脱が不可能でデジタルカメラ１００に内蔵されたメモリに画像データを記録する構成も考えられる。
【００１９】
画像処理部１３は、撮像部１２で撮像された画像データに、所定の画素補間、リサイズ処理や色変換処理、回転処理、左右変換処理、上下変換処理、上下左右変換処理を行う。また、画像処理部１３では撮像された画像データを用いて所定の演算処理が行われ、制御部１０は得られた演算結果に基づいて撮像部１２による撮像に関する各種制御（露光制御、オートホワイトバランス制御など）を行う。
【００２０】
画像圧縮／伸長部１１は画像処理部１３で画像処理された画像データを圧縮する処理や着脱可能記録媒体１９から読み出した画像データに対する伸長処理を行う。
撮像部１２は、撮影レンズ（ズームレンズとフォーカスレンズ含む）と撮像素子を有し、制御部１０の制御に基づき被写体を撮像し、静止画や動画像データといった画像データを取得する。
【００２１】
表示部１４は、制御部１０の制御に基づき、各種設定状態や、撮像部１２で撮像されている画像、着脱可能記録媒体から読み出して再生した画像などを表示するためのディスプレイである。この実施例では、バリアングルの液晶モニタとして構成されている。
操作部１５は、デジタルカメラ１００に電源を供給するための電源スイッチや、撮影開始ボタン、カメラモード（撮影モード）や再生モードに切り替え可能なモード切替ボタン、タッチパネルなどを含む、ユーザからの操作を受け付ける操作部である。タッチパネルは、表示部１４と一体的に構成された操作部材である。
外部Ｉ／Ｆ（２０）は、外部機器とのインタフェースであり、無線や有線で外部機器と画像やその他のデータを送信または受信する通信インタフェース、あるいは外部機器に映像信号を出力する映像出力インタフェースである。
【００２２】
モニタ位置検知部２１は、モニタ部１２０が本体部１１０に対して相対的にどの位置関係となっているかを検知する。ヒンジ部に備えられたスイッチやホール素子などで構成でき、モニタ部が前述の閉位置、開位置、対面位置のいずれの位置であるかを検知することができる。
【００２３】
図３（ａ）、図３（ｂ）に、デジタルカメラ１００と外部機器の一例としてのテレビ３０１での再生表示例を示す。
図３（ａ）は、モニタ部１２０を開位置とした時の表示例である。着脱可能記録媒体１９から読み出した画像を再生し、回転処理や反転処理を施していない再生画像３０２を表示部１４に表示している。外部Ｉ/Ｆ（２０）を介して接続された外部機器３０１にも、表示部１４に表示しているものと同じ画像を回転処理や反転処理を施さずにそのまま表示部１４に表示している。
【００２４】
図３（ｂ）は、モニタ部１２０を対面位置とした時の表示例である。着脱可能記録媒体１９から読み出した画像を、上下左右反転処理を施したもの（再生画像３０３）を表示部１４に表示している。そのため、同じ画像に基づく表示を行う場合、図３（ａ）で表示する再生画像３０２と、図３（ｂ）で表示する再生画像３０３とは、原点１３０を基準とすると逆さまの関係になる。
【００２５】
ただし、図示の通り、ユーザーから見ると、再生画像３０２と再生画像３０３は同じ向きに見える。こうして、モニタ部１２０を回転させてモニタ部１２０を見る向きが変わっても、画像はユーザーから見て同じ向きで視認できるようにしている。外部Ｉ/Ｆ（２０）を介して接続された外部機器３０１には、表示部１４に表示しているものと同じソースの画像を、上下左右反転した再生画像３０３とは異なり、回転処理や反転処理を施さずにそのまま表示部１４に表示している。
【００２６】
デジタルカメラ１００では、反転記録モードに設定することができる。反転記録モードに設定すると、撮影した画像を左右反転して着脱可能記録媒体１９に記録する。反転記録モードで記録された画像を再生すると、実際に撮影した被写体に対して鏡像となる画像が再生される。反転記録モードは、教材用のダンスの振り付けを撮影する際などに便利である。撮影時に振り付けの講師が通常通りに踊った映像を撮影しても、再生する際には再生機器を問わず鏡像である画像が再生されるため、練習生は映像を対面で見た通りの左右関係で練習することができる。ゴルフスイングなどのスポーツのフォームを撮影する場合にも便利である。
【００２７】
図４（ａ）、図４（ｂ）に、反転記録モードをオフとした場合の撮影時の表示例（撮影待機時のライブビュー表示、及び撮影記録中のライブビュー表示）を示す。図４（ａ）は、モニタ部１２０を開位置として、被写体４０１を撮影している場合の表示例である。撮影した画像は反転や回転処理することなくそのまま表示部１４に表示され、ライブビュー画像４１０が表示される。表示部１４を撮像部１２と反対の背面側から視認する撮影者から見て、被写体４０１とライブビュー画像４１０の左右関係は同じ向きに見える。外部機器であるテレビ３０１には、着脱可能記録媒体１９に記録する画像と同じ映像が出力されて表示される。
【００２８】
図４（ｂ）は、モニタ部１２０を対面位置として被写体４０１を撮影している場合の表示例である。俯瞰する位置が異なるだけで、デジタルカメラ１００と被写体４０１の位置関係は図４（ａ）の場合と同じであり、同じ映像が撮影されているものとする。撮影した画像を再生時と同じく上下左右反転して表示してしまうと、正像の映像ではあるが、被写体４０１から見ると自分と左右反対の動きとなってしまい、撮影範囲に意図通りに収まったりポーズをとるといった構図調整がやりにくい。
【００２９】
そこで、モニタ部１２０が対面位置である場合は、図４（ｂ）のように、映像を鏡像で表示する（ミラー表示）。このライブビュー画像４１１は、ユーザーから見ると開位置で表示されていたライブビュー画像４１０と比較して画像内の左右関係が反転している。このように表示されたライブビュー画像４１１は、被写体から見て、鏡をみたように自分と同じ向きに動くため、ユーザーが撮影範囲に意図通りに収まることやポーズをとるといった構図調整がやりやすくなる。
【００３０】
鏡像で表示するために、撮影された画像を上下反転処理する。左右については反転しない。ユーザーから見たモニタ部１２０の上下左右が開位置と逆となっているため、上下だけ反転すれば鏡像表示となるためである。なお，テレビ３０１に表示された映像のとおり、外部機器に出力する映像と着脱可能記録媒体１９に記録される画像は正像のままであり、鏡像とするのは対面位置での表示部１４に表示するための画像だけである。
【００３１】
図５（ａ）、図５（ｃ）に、反転記録モードをオンとした場合の撮影時の表示例（撮影待機時のライブビュー表示、及び撮影記録中のライブビュー表示）を示す。図５（ｂ）は反転記録モードをオンとした場合の本願を実施しない場合の表示例である。
【００３２】
図５（ａ）は、反転記録モードをオンとして、モニタ部１２０を開位置として被写体４０１を撮影している場合の表示例である。反転記録がオンであるため、撮影した画像は左右反転して表示部１４に表示され、鏡像であるライブビュー画像５０１が表示される。表示部１４を撮像部１２と反対の背面側から視認する撮影者から見て、被写体４０１とライブビュー画像５０１の左右関係は逆の向きに見える。
【００３３】
これによって、反転記録モードがオンとなっており、撮影した画像が左右反転して鏡像で記録されていることを認識することができる。また、ライブビュー画像５０１に重畳して、反転記録モード中であることを示すモードアイコン５０２が表示される。外部機器であるテレビ３０１には、着脱可能記録媒体１９に記録する画像と同じ鏡像の映像が出力されて表示される。
【００３４】
通常、モニタ部１２０を開位置から対面位置に回転させると、それまで表示していた映像をミラー反転して鏡像表示する。しかし、反転記録モードをオンとしている場合に、モニタ部１２０を開位置から対面位置に回転させたことに応じて、それまで表示していた映像をミラー反転して表示すると、図５（ｂ）のような表示となる。
【００３５】
ライブビュー画像５０３は、鏡像で表示されていたライブビュー画像５０１を更にミラー反転して表示したものである。処理としては、ライブビュー画像５０１を上下だけ反転したものである。結果として、撮像された画像を上下左右反転した正像となる。このようなライブビュー画像５０３を被写体が見ても、自分の動きと左右逆向きの動きの映像が見えるため、撮影範囲に収まったりポーズをとったりするのは難しい。
【００３６】
さらに、正像が見えているため、反転記録モードがオンとなっているか否かをライブビュー画像５０３を見ただけで判断することも難しい。すなわち被写体から見て特にメリットのない表示となってしまっている。そこで本発明では、反転記録モードで対面位置になった場合は図５（ｃ）のような表示を行う。
【００３７】
図５（ｃ）は、反転記録モードをオンとして、モニタ部１２０を対面位置として被写体４０１を撮影している場合の表示例である。俯瞰する位置が異なるだけで、デジタルカメラ１００と被写体４０１の位置関係は図５（ａ）の場合と同じであり、同じ映像が撮影されているものとする。反転記録モードがオンでモニタ部１２０が対面位置である場合は，図５（ｃ）のように、映像を鏡像で表示する。
【００３８】
ライブビュー画像５０４は、鏡像で表示されていたライブビュー画像５０１が１８０度回転した鏡像である。処理としては、撮像された画像を上下だけ反転した画像である。このライブビュー画像５０４は、ユーザーから見ると開位置で表示されていたライブビュー画像５０１と比較して画像内の左右関係が同じである。
【００３９】
このようなライブビュー画像５０４を被写体が見ると、自分の動きと左右同じ向きの動きの映像が見えるため、撮影範囲に収まったりポーズをとったりするが容易になる。反転記録モードがオンとなっているか否かはライブビュー画像５０４を見ただけで判断することは難しいが、モードアイコン５０２が表示されていることで、反転記録モードがオンとなっていることがわかる。
【００４０】
なお、モードアイコン５０２は、図５（ａ）の場合から上下左右反転し、表示位置を表示部１４の中央を軸とした点対称の位置に表示したものである。外部機器であるテレビ３０１には、着脱可能記録媒体１９に記録する画像と同じ鏡像の映像（撮影画像を左右反転した画像）が出力されて表示される。
【００４１】
図６は、撮影モード処理のフローチャートである。前述の表示を実現する処理について説明したものである。図６の処理は、ＲＯＭ１６に記録されたプログラムをＲＡＭ１７に展開して制御部１０が実行することにより実現する。デジタルカメラ１００が撮影モードで起動されると図６の処理が開始される。
【００４２】
Ｓ６０１では、制御部１０は、ＲＯＭ１６に記録されたモード情報を参照し、現在、反転記録モードがオンとなっているか否かを判定する。オフである場合はＳ６０２に進み、オンである場合はＳ６０５に進む。
【００４３】
Ｓ６０２では、制御部１０は、モニタ位置検知部２１の出力に基づき、モニタ部１２０が対面位置となっているか否かを判定する。対面位置となっていない、すなわち閉位置か開位置である場合はＳ６０３に進み、対面位置となっている場合はＳ６０４に進む。
Ｓ６０３では、制御部１０は、撮像部１２で撮像されたスルー画像（ライブビュー画像）を、反転／回転処理せず、そのままの向きで表示部１４に表示する。これによって図４（ａ）のような開位置での表示が行われる。
【００４４】
Ｓ６０４では、制御部１０は、撮像部１２で撮像されたスルー画像(ライブビュー画像)を、画像処理部１３で上下反転処理して表示部１４に表示する。これによって図４（ｂ）のような対面位置での鏡像表示が行われる。
【００４５】
Ｓ６０５では、制御部１０は、モニタ位置検知部２１の出力に基づき、モニタ部１２０が対面位置となっているか否かを判定する。対面位置となっていない、すなわち閉位置か開位置である場合はＳ６０６に進み、対面位置となっている場合はＳ６０７に進む。
Ｓ６０６では、制御部１０は、撮像部１２で撮像されたスルー画像(ライブビュー画像)を、画像処理部１３で左右反転処理して表示部１４に表示する。また、ライブビュー画像に重畳して反転記録モードがオンとなっていることを示すモードアイコン５０２を表示する。これによって図５（ａ）のような開位置での鏡像表示が行われる。
【００４６】
Ｓ６０７では、制御部１０は、撮像部１２で撮像されたスルー画像(ライブビュー画像)を、画像処理部１３で上下反転処理して表示部１４に表示する。また、ライブビュー画像に重畳して反転記録モードがオンとなっていることを示すモードアイコン５０２を、上下左右反転して表示する。これによって図５（ｃ）のような対面位置での鏡像表示が行われる。
【００４７】
Ｓ６０８では、制御部１０は、ユーザーからの反転記録モードのオン／オフの切り替え操作があったか否かを判定する。反転記録モードのオン／オフは、設定メニューに含まれる反転記録モードのオン／オフの切り替え項目を選択して切り替え画面を表示させた状態で、オンかオフかをユーザーが任意に設定することができる。ユーザーからの反転記録モードのオン／オフの切り替え操作があった場合はＳ６０９に進み、そうでない場合はＳ６１０に進む。
【００４８】
Ｓ６０９では、制御部１０は、ユーザー操作に応じて設定された反転記録モードのオン／オフを切り替え、切り替え結果の状態を示すモード情報をＲＯＭ１６に記録する。
Ｓ６１０では、制御部１０は、操作部１５の撮影開始ボタンが押下され、動画の撮影開始が指示されたか否かを判定する。動画の撮影開始が指示されたと判定するとＳ６１１に進み、そうでない場合はＳ６１６に進む。
【００４９】
Ｓ６１１では、制御部１０は、ＲＯＭ１６に記録されたモード情報を参照し、反転記録モードがオンとなっているかオフとなっているかを判定する。オフである場合はＳ６１２に進み、オンである場合はＳ６１３に進む。
Ｓ６１２では、制御部１０は、撮像部１２で撮像された動画像を、向きを変更せずに着脱可能記録媒体１９に記録する。
【００５０】
Ｓ６１３では、制御部１０は、撮像部１２で撮像された動画像に対し、画像処理部１３で左右反転処理を施してから着脱可能記録媒体１９に記録する。こうして撮影された画像に対して鏡像の動画像が記録される。
Ｓ６１４では、制御部１０は、操作部１５の撮影開始ボタンが再度押下され、撮影停止指示がなされたか否かを判定する。撮影停止指示があった場合はＳ６１５に進み、そうでない場合はＳ６１１に戻って撮影を継続する。
【００５１】
Ｓ６１５では、制御部１０は、停止処理を行う。すなわち、着脱可能記録媒体１９に記録された動画像を格納した動画ファイルに、撮影時の各種情報を属性情報を付与（動画に関連付けて記録）し、ファイルクローズ処理を行う。この際、反転記録モードがオンで記録された動画であるか否かを示す属性情報(左右反転フラグ)も記録する。左右反転フラグは、動画ファイルのヘッダ情報や、関連付けられた管理ファイル、あるいは動画ファイルと同じフォルダに生成された管理ファイルに記録される。
【００５２】
Ｓ６１６では、制御部１０は、撮影モード処理を終了させる終了イベントがあった否かを判定する。終了イベントは、電源をオフとする操作、再生モードなどの他の動作モードに移行する操作、メモリーカードなどの記録媒体の格納スロットの蓋が空けられたことを検知した場合に起こる。終了イベントが無かった場合はＳ６０１に戻って撮影モード処理を継続し、終了イベントがあった場合は図６の処理を終了する。
【００５３】
なお、前述の処理では、反転記録モードでの動画を撮影する例を説明したが、反転記録モードの際に静止画を撮影することもできる。反転撮影モードで撮影された静止画は、撮像画像を左右反転した鏡像の静止画が画像ファイルとして記録される。
【００５４】
また、反転記録モードがオンの場合に、ライブビュー画像とともにモードアイコン５０２を表示する例を説明したが、モードアイコン５０２は表示しなくても良い。モードアイコン５０２を表示しないことで、ライブビュー画像のうちモードアイコン５０２に隠れて見えなくなる部分が生じることを防ぎ、視認性よくライブビュー画像を表示することができる。
【００５５】
また、Ｓ６０７の場合、すなわち図５（ｃ）のように、反転記録モードをオンにして対面位置で撮影している場合のみ、ライブビュー画像だけでは反転記録モードがオンになっていることが分からないので、モードアイコン５０２を表示してもよい。反転記録モードがオンであっても、閉位置と開位置の場合（Ｓ６０６の場合）は、モードアイコン５０２は表示しない。その分、ライブビュー画像の一部を隠すことなく視認性よくライブビュー画像を表示することができる。
【００５６】
モードアイコン５０２が表示されていなくとも、ライブビュー画像が反転表示されていることから反転記録モードがオンとなっていることを識別できる。また、反転記録モードがオンとなっている場合はモニタ部１２０の位置に関わらずモードアイコン５０２を表示するが、対面位置の場合とそうでない場合とで表示形態を異ならせることも考えられる。例えば、対面位置の場合の方がそうでない場合よりも大きく表示する、目立つ色（例えば赤）で表示する、点滅表示するといった表示の少なくとも１つを行うことが考えられる。
【００５７】
対面位置でない場合は対面位置の場合よりもモードアイコン５０２を小さく表示する、目立たない色（例えば白）で表示する、点灯表示するなどを行う。このようにすることによっても、反転記録モードをオンにしていることに特に気づきにくい対面位置の場合に確実にユーザーに反転記録モードがオンとなっていることを認識させることができる。
【００５８】
また、他の位置ではなるべくライブビュー表示の妨げにならないようにすることができる。なお、モードアイコン５０２は前述のような形態でなくともよく、ライブビュー表示とは異なる、ユーザーが反転記録モードであることを識別できるような情報表示であればよい。例えば、「反転記録モード中」といった文字列の表示でも良い。
【００５９】
なお、モニタ部１２０が軸１０２を中心として回動可能な例を説明したが、バリアングル機構はこれに限るものではなく、ライブビュー画像が撮影方向（被写体側）を向く対面位置と、反対を向く位置とに移動可能なものであれば本発明を適用可能である。例えば、表示部１４の表示面と平行で、軸１０２と垂直な軸すなわち表示部１４の縦方向と平行な軸を中心にモニタ部１２０を回転させることのできる構成でも適用可能である。この場合、前述のＳ６０４、Ｓ６０６、Ｓ６０７ではいずれも、スルー画像を上下反転はせず左右反転することで鏡像表示にする。また、再生モードの際に開位置から対面位置にした場合は、再生画像を反転や回転することなく、向きを変更せずに表示する。
【００６０】
以上説明したように、本発明によれば、ライブビューを表示する表示部が撮影方向（被写体側）を向く対面位置では、対面位置でない位置で鏡像表示していたか否かに関わらず、鏡像表示をする。また、対面位置では撮影した画像を鏡像で記録しているか否かに関わらず鏡像で表示する。これによって、被写体側から見た撮影の構図調整が容易となる。この場合、鏡像で記録する動作モードに設定されていれば、それを示す情報を表示するため、対面位置で鏡像表示を行っていても、鏡像で記録する動作モードとなっているか否かを識別させることができる。
【００６１】
また、対面位置でない場合には、撮影した画像を鏡像で記録していれば、表示も鏡像で行う。このようにすることで、アイコン等での通知がなくても、鏡像で記録する動作モードとなっていることをユーザーに識別させることができる。
なお、前述した撮影モード処理における制御は、制御部１０が行うものとして説明したが、この通り１つのハードウェアが行ってもよいし、複数のハードウェアが処理を分担することで、装置全体の制御を行ってもよい。
【００６２】
また、撮影モード処理に相当する制御をデジタルカメラ１００に適用した場合を例にして説明したが、これはこの例に限定されず、位置を移動可能な表示部を備えた表示制御装置であれば適用可能である。すなわち、本発明はパーソナルコンピュータやＰＤＡ、携帯電話端末、音楽プレーヤー、ゲーム機、電子ブックリーダーなどに適用可能である。
【００６３】
本実施形態の表示制御装置において、前述の図６の処理によって記録された画像を再生する方法について説明する。なお、以下に説明する処理は、記録された画像の再生時の処理であるため、デジタルカメラ１００に限らず、他の表示制御装置でも実施可能である。
【００６４】
前述の撮影モード処理のように、再生する画像は、撮影時に左右を反転して記録された画像（反転像）である可能性がある。また、本実施形態においては、再生時に左右を反転する処理を行って再生することもできる。これにより、左右反転せずに記録された正像の画像を再生する際にも、再生時の左右反転処理により、鏡像（反転像）で表示することができる。したがって、ダンスの練習などに好都合である。
【００６５】
ただし、撮影時に左右を反転して記録できることと、再生時に左右を反転処理して再生することができることにより、以下の４つの状態が発生することになる。
(１)通常記録＋通常再生→正像
(２)通常記録＋左右反転再生→反転像
(３)左右反転記録＋通常再生→反転像
(４)左右反転記録＋左右反転再生→正像
【００６６】
このような４つの状態があると、使用者が現在見ている再生画像がどういう状態であるのか把握しづらい可能性がある。また、再生時に左右反転させるとどのような状態となるのか把握しづらく、ユーザーにとって、再生時の左右反転の機能をオンとすべきかどうかの判断がしづらい。そこで、本実施形態の画像再生の処理においては、記録／再生の左右反転状態をユーザーが容易に把握しつつ、切り替えを容易にできるように表示する。
【００６７】
図７（ａ）に、反転記録モードをオフとして動画を撮影記録している場合の表示例を示す。なお、ライブビューに加えて、図５では省略した撮影モードアイコン、電池算容量、撮影経過時間、残り撮影可能時間の表示も図示する。
図７（ａ）では、反転記録モードがオフであるため、被写体の人物のシャツに印刷された「ＡＢＣ」の文字が正像で写っている。
図７（ｂ）に、反転記録モードをオンとして動画を撮影記録している場合の表示例を示す。この場合は鏡像が記録されるため、被写体である人物のシャツの文字「ＡＢＣ」が左右反転した状態で映っている。このように撮影された画像を再生する動作について説明する。
【００６８】
デジタルカメラ１００の動作モードを再生モードに切り替えると、表示部１４に、図８のような複数のシーン（カット）のサムネイル画像がタイル状に並んだインデックス画面が表示される。
そのうちの一つのサムネイルをタップ（表示部１４に一体的に構成されたタッチパネルにタッチして離す操作）すると、タップされたサムネイルが示す動画を着脱可能記録媒体１９から読み出して再生する。再生中の動画を、ユーザーの操作に応じて左右反転させることができる。そして、再生中の動画が反転記録モードで記録された動画であるか、及び、左右反転処理を施して再生している（反転再生している）かどうかに応じた状態を、反転アイコンを用いて表示する。
【００６９】
図９は、動画再生中の画面表示例である。
再生動作を表すアイコン、カウンター、日付表示などがある。画面左上にある表示アイテムが反転アイコン９０１〜９０４である。反転アイコン９０１〜９０４は、再生中の動画が反転記録モードで記録された動画であるか、及び、反転再生しているかどうかに応じた状態を表すとともに、反転再生のオン／オフの切り替え操作を受け付けるタッチアイコンである。本実施形態では、アルファベット文字「Ｒ」をモチーフ（素材）としたアイコンとしている。この「Ｒ」のように、左右非対称のモチーフで、かつ、正像と反転像の区別のつくものであれば、他のモチーフでも構わない。
【００７０】
図１０（ａ）に、反転記録モードで記録されたか否か、及び反転再生されているか否かに応じた反転アイコン９０１〜９０４の表示形態の対応図を示す。この対応表示に相当する情報がＲＯＭ１６に予め記録されているものとする。
【００７１】
対応図の上段が撮影時に左右反転せずに通常記録した画像を再生するとき、下段が撮影時に左右反転して反転記録した画像を再生するときを表す。
対応図の左列は再生時に左右反転しないで再生したとき（すなわち、反転ＯＦＦ）、右列は再生時に左右反転して再生したとき（すなわち、反転ＯＮ）を表す。
矢印の元のモチーフが記録動画の反転／非反転を示し、「Ｒ」の向きによって判断することができる。すなわち、矢印の元（矢印の左側）のモチーフ（「Ｒ」）が正像であれば、反転記録はオフで記録された画像（すなわち記録されているのは正像）であることがわかる。矢印の元のモチーフ（「Ｒ」）が鏡像であれば、反転記録がオンで記録された画像（すなわち記録されているのは鏡像）であることがわかる。
【００７２】
矢印の先のモチーフがこの反転アイコン９００（９０１〜９０４の総称）がタップされて反転再生がオンとなった場合の再生の状態を示し、「Ｒ」の向きによって判断することができる。すなわち、矢印の先（矢印の右側）のモチーフ（「Ｒ」）が正像であれば、反転再生をオンとした場合に表示される画像の向きが、実際の被写体に対して正像となることがわかる。矢印の先（矢印の右側）のモチーフ（「Ｒ」）が鏡像であれば、反転再生をオンとした場合に表示される画像の向きが、実際の被写体に対して鏡像となることがわかる。この反転アイコン９００はタップされるたびに有効／無効が切り替わるトグル動作をする反転アイコン９００で、反転アイコン９００下地の色（アイコン中におけるモチーフ部分の外側の表示形態）が変化する。
【００７３】
以降の図において、斜線部分はオレンジ色（一方の表示形態）になる。オレンジ色（斜線）の場合は有効（すなわち反転ＯＮ）、黒色（他方の表示形態）の場合は無効（すなわち、反転オフ）を表している。すなわち、反転アイコン９００の下地の色が黒であれば、現在は反転再生はオフであり、現在の状態は矢印の元（矢印の左側）のモチーフが表す状態であることがわかる。
【００７４】
また、反転アイコン９００をタップして反転再生をオンにすれば矢印の先（矢印の右側）のモチーフが表す状態に切り替えられることがわかる。一方、反転アイコン９００の下地の色がオレンジであれば、現在は反転再生はオンであり、現在の状態は矢印の先（矢印の右側）のモチーフが表す状態であることがわかる。また、反転アイコン９００をタップして反転再生をオフにすれば矢印の元（矢印の左側）のモチーフが表す状態に切り替えられることがわかる。
【００７５】
このような４パターンの反転アイコンの表示により、現在再生している画像が撮影時に左右反転されたものなのかどうかをユーザーが容易に識別することができる。また、現在再生されている画像は本来の左右なのかどうか（すなわち、実際の被写体に対して正像であるか鏡像であるか）も、ユーザーが容易に識別することができる。さらに、現在表示されている画像は再生時の反転処理を施して再生されている画像であるか否かも、ユーザーが容易に識別することができる。さらに、反転アイコン９００を押した後（すなわち、再生時の反転処理機能のオン／オフを切り替えた場合）に、画像がどのように再生されるかも、ユーザーが容易に識別することができる。
【００７６】
通常記録画像を再生反転ＯＦＦで再生しているときの画面が図９（ａ）である。また、通常記録画像を再生反転ＯＮで再生しているときの画面が図９（ｂ）、反転記録画像を再生反転ＯＦＦで再生しているときの画面が図９（ｃ）、反転記録画像を再生反転ＯＮで再生しているときの画面が図９（ｄ）である。
【００７７】
前述の再生表示を行う処理について説明する。
図１１に、再生モードにおける再生処理のフローチャートを示す。この処理は、ＲＯＭ１６に記録されたプログラムをＲＡＭ１７に展開して制御部１０が実行することにより実現する。デジタルカメラ１００が再生モードで起動され、インデックス画面で表示された動画のサムネイルの何れかがタップされると図１１の処理を開始する。
【００７８】
Ｓ１１０１では、制御部１０は、着脱可能記録媒体１９からタップされたサムネイルに対応する動画を読み出す。また、動画の属性情報を読み込む。読み込んだ属性情報に左右反転フラグがあれば、再生する動画は反転記録モードで記録された鏡像の動画であり、左右反転フラグが付与されていない場合は再生する動画は正像である。左右反転フラグが付与されていた否かの情報を、ＲＡＭ１７に保持する。
【００７９】
Ｓ１１０２では、制御部１０は、Ｓ１１０１で読み込んだ動画を再生して表示部１４に表示する。また、ＲＡＭ１７に保持した左右反転フラグの情報に基づいて反転アイコン９００の初期描画を行う。Ｓ１１０２では反転再生は行っていないので、左右反転フラグの付いていない動画であれば、図１０（ａ）の左上の表示形態の反転アイコン９０１を用いて、図９（ａ）の表示例のような表示を行う。
【００８０】
左右反転フラグの付いている動画であれば、図１０（ａ）の左下の表示形態の反転アイコン９０３を用いて、図９（ｃ）の表示例のような表示を行う。
Ｓ１１０３では、制御部１０は、反転アイコン９００に対するタップ操作があったか否かを判定する。反転アイコン９００に対するタップ操作があった場合はＳ１１０４に進み、そうでない場合はＳ１１１３に進む。
【００８１】
Ｓ１１０４では、制御部１０は、ＲＡＭ１７を参照し、現在反転再生を行っているか否かを判定する。反転再生を行っている場合はＳ１１０５に進み、そうでない場合は１１０９に進む。
Ｓ１１０５では、制御部１０は、反転再生をオフとし、その時点からは再生している動画を反転せずに再生表示する。また、反転再生がオフである旨をＲＡＭ１７に記録する。
【００８２】
Ｓ１１０６では、制御部１０は、ＲＡＭ１７を参照し、再生している動画が左右反転フラグが付されたものであったか否かを判定する。左右反転フラグが付されたものであった場合はＳ１１０８に進み、そうでない場合はＳ１１０７に進む。
Ｓ１１０７では、制御部１０は、第１の表示形態である図１０（ａ）の左上の表示形態（９０１）で反転アイコン９００を表示する。このとき、動画は正像で表示される。結果として、図９（ａ）に示したような表示となる。
【００８３】
Ｓ１１０８では、制御部１０は、第２の表示形態である図１０（ａ）の左下の表示形態（９０３）で反転アイコン９００を表示する。このとき、記録された動画が鏡像であるため、鏡像の動画が表示される。結果として、図９（ｃ）に示したような表示となる。
一方、Ｓ１１０９では、制御部１０は、反転再生をオンとし、その時点からは再生している動画を、画像処理部１３で左右反転処理して再生表示する。また、反転再生がオンである旨をＲＡＭ１７に記録する。
【００８４】
Ｓ１１１０では、制御部１０は、ＲＡＭ１７を参照し、再生している動画が左右反転フラグが付されたものであったか否かを判定する。左右反転フラグが付されたものであった場合はＳ１１１２に進み、そうでない場合はＳ１１１１に進む。
Ｓ１１１１では、制御部１０は、第３の表示形態である図１０（ａ）の右上の表示形態（９０２）で反転アイコン９００を表示する。このとき、動画は鏡像で表示される。結果として、図９（ｂ）に示したような表示となる。
【００８５】
Ｓ１１１２では、制御部１０は、第４の表示形態である図１０（ａ）の右下の表示形態（９０４）で反転アイコン９００を表示する。このとき、記録された動画が鏡像であるため、それを更に左右反転した正像の動画が表示される。結果として、図９（ｄ）に示したような表示となる。
Ｓ１１１３では、制御部１０は、ユーザーによる動画の再生停止の指示、あるいは動画を最後まで再生して再生停止の状態となったか否かを判定する。再生停止であった場合は図１１の処理を終了し、そうでない場合はＳ１１０３に戻って処理を繰り返す。
【００８６】
＜変形例１＞
図１０（ｂ）は、前述の実施形態とは別の表現で反転アイコンを表示した例を示す図である。左上、右上、左下、右下の位置別に異なる状態を示す表示形態の反転アイコンであるが、各位置の反転アイコンはそれぞれ図１０（ａ）における同じ位置の反転アイコンと同じ状態を示すものである。
【００８７】
図１０（ｂ）では、矢印の元のモチーフが記録動画の反転／非反転を示す。矢印の先のモチーフがこの動画を反転した時の再生の状態を表す。オレンジ色（斜線）部分は現在の状態を示す。
この反転アイコンは、タップされるたびにオレンジ色（斜線）位置が切り替わるトグル動作をする反転アイコンで、再生の反転／非反転が切り替わる。
この実施形態は、現在の状況を表すモチーフがオレンジ色に強調表示されるため、現在の状態を認識しやすい。
【００８８】
＜変形例２＞
図１０（ｃ）は、前述の実施形態とは別の表現で反転アイコンを表示した例を示す図である。左上、右上、左下、右下の位置別に異なる状態を示す表示形態の反転アイコンであるが、各位置の反転アイコンはそれぞれ図１０（ａ）における同じ位置の反転アイコンと同じ状態を示すものである。
図１０（ｃ）では、矢印の元のモチーフの向きが記録動画の反転／非反転を示す。矢印の先のモチーフの向きがこの反転アイコンがタップされて反転再生がオンとなっている時の再生の状態を表す。
【００８９】
この反転アイコンは、タップされるたびに有効／無効が切り替わるトグル動作をする反転アイコンで、反転アイコン下地の色がオレンジ色（斜線）の場合は有効、黒の場合は無効を表している。合わせて、モチーフのオレンジ色（斜線）部分は現在の状態を示す。
この実施形態は、現在の状況を表すモチーフがオレンジ色に強調表示され、かつ、下地の色を見れば再生反転しているか否かがわかるため、現在は鏡像であるか否か及び再生反転がＯＮしているか否かを認識しやすい。
【００９０】
＜変形例３＞
図１０（ｄ）は、前述の実施形態とは別の表現で反転アイコンを表示した例を示す図である。左上、右上、左下、右下の位置別に異なる状態を示す表示形態の反転アイコンであるが、各位置の反転アイコンはそれぞれ図１０（ａ）における同じ位置の反転アイコンと同じ状態を示すものである。
【００９１】
図１０（ｄ）では、矢印の元のモチーフの向きが記録動画の反転／非反転を示す。矢印の先のモチーフの向きがこの反転アイコンがタップされて反転再生がオンとなっている時の再生の状態を表す。
この反転アイコンは、タップされるたびに有効／無効が切り替わるトグル動作をする反転アイコンで、反転アイコン下地の色がオレンジ色（斜線）の場合は有効、黒の場合は無効を表している。合わせて、大きいモチーフの向きは現在の状態を示す。
【００９２】
この実施形態は、現在の状況を表すモチーフが大きく強調表示され、かつ、下地の色を見れば再生反転しているか否かがわかるため、現在は鏡像であるか否か及び再生反転がＯＮしているか否かを認識しやすい。
【００９３】
＜変形例４＞
図１０（ｅ）は、前述の実施形態とは別の表現で反転アイコンを表示した例を示す図である。左上、右上、左下、右下の位置別に異なる状態を示す表示形態の反転アイコンであるが、各位置の反転アイコンはそれぞれ図１０（ａ）における同じ位置の反転アイコンと同じ状態を示すものである。
【００９４】
図１０（ｅ）では、この反転アイコンはタップされるたびに有効／無効が切り替わるトグル動作をする反転アイコンで、反転アイコンの下地色で反転再生のＯＮ／ＯＦＦを表す。
白のときは反転ＯＦＦ、有効色であるオレンジ色（斜線）のときは反転ＯＮで再生されている。いずれの場合もモチーフの向きが現在表示されている画像が実際の被写体に対して正像であるか鏡像であるかを示す。反転アイコンの下地色が白の場合のモチーフの向きによって記録画像の反転／非反転がわかる。また、反転アイコンの下地色がオレンジの場合のモチーフの向きによって反転再生がオンの場合に表示される画像が実際の被写体に対して鏡像であるかがわかる。この実施形態は、再生画面の領域の反転アイコン部品のスペースを削減しながらも、４つの状態を示すことができる。
【００９５】
以上説明したように、本発明の表示制御装置は、
・画像を再生する再生手段、
・前記再生手段で再生する画像が反転して記録されたか否かの情報を取得する取得手段、
・前記再生手段で再生した画像を反転して表示する反転処理手段、
・前記反転処理手段において反転処理をするか否かを切り替える切替手段、
・画像を反転して表示しているかを示す表示アイテムを、前記取得手段で取得した前記情報と、前記切替手段で反転処理をするように切り替えられているか否かとの組み合わせに応じて異なる表示形態で、前記再生手段で再生した画像とともに表示部に表示するように制御する制御手段とを有する。
【００９６】
これによって、記録時の左右反転、再生時の左右反転の有無が切り替え可能な装置において、
（１）通常記録＋通常再生→正像
（２）通常記録＋左右反転再生→反転像
（３）左右反転記録＋通常再生→反転像
（４）左右反転記録＋左右反転再生→正像
の４つの状態のうち、使用者が現在見ている再生画像がどういう状態であるのかを、把握しやすいように表示することが可能である。
【００９７】
これにより、再生左右反転を切り替える時にどのように動作するのか把握しやすいようにすることが可能である。
図１０（ａ）〜図１０（ｅ）のいずれの表現でも、再生している画像が撮影時に左右反転されたものか否か、現在再生されている画像は本来の左右なのか否か、現在の再生は反転しながら再生しているか否かをユーザーに容易に認識させることができる。さらに、反転アイコンをタップして反転再生のオン／オフを切り替えた場合に画像はどのように再生されるかをユーザーに容易に認識させることができる。
【００９８】
なお、前述の実施形態では画像として動画の例を説明したが、動画に限らず、静止画でもよい。また、本実施形態では左右反転について説明したが、記録時及び再生時に上下反転を行う場合にも同様に適用可能である。
なお、前述した各処理における制御部１０での制御は１つのハードウェアが行ってもよいし、複数のハードウェアが処理を分担することで、装置全体の制御を行ってもよい。
【００９９】
また、前述した実施形態の再生時の処理においては、本発明をデジタルカメラ１００に適用した場合を例にして説明したが、これはこの例に限定されず、左右反転して記録された動画／静止画を再生可能な装置であれば適用可能である。すなわち、本発明はパーソナルコンピュータやＰＤＡ、携帯電話端末や携帯型の画像ビューワ、ディスプレイを備えるプリンタ装置、デジタルフォトフレーム、音楽プレーヤー、ゲーム機、電子ブックリーダーなどに適用可能である。
【０１００】
なお、本発明をその好適な実施形態に基づいて詳述してきたが、本発明はこれら特定の実施形態に限られるものではなく、この発明の要旨を逸脱しない範囲の様々な形態も本発明に含まれる。さらに、前述した各実施形態は本発明の一実施形態を示すものにすぎず、各実施形態を適宜組み合わせることも可能である。
【０１０１】
（他の実施形態）
本発明は、以下の処理を実行することによっても実現される。即ち、前述した実施形態の機能を実現するソフトウェア（プログラム）をネットワーク又は各種記憶媒体を介してシステム或いは装置に供給する。そして、そのシステム或いは装置のコンピュータ（又はＣＰＵやＭＰＵ等）がプログラムコードを読み出して実行する処理である。この場合、そのプログラム、及び該プログラムを記憶した記憶媒体は本発明を構成することになる。
【符号の説明】
【０１０２】
１０  制御部
１１  画像圧縮／伸長部
１２  撮像部
１３  画像処理部
１４  表示部
１５  操作部
１６  ＲＯＭ
１７  ＲＡＭ
１８  着脱可能記録媒体インタフェース（Ｉ／Ｆ）
２０  外部インターフェース（Ｉ／Ｆ）
２１  モニタ位置検知部
１００  デジタルカメラ
【図１】
2015029208.tif 000003
【図２】
2015029208.tif 000004
【図３】
2015029208.tif 000005
【図４】
2015029208.tif 000006
【図５】
2015029208.tif 000007
【図６】
2015029208.tif 000008
【図７】
2015029208.tif 000009
【図８】
2015029208.tif 000010
【図９】
2015029208.tif 000011
【図１０】
2015029208.tif 000012
【図１１】
2015029208.tif 000013